(57)【特許請求の範囲】
【請求項１】
第１の無線通信システム、第２の無線通信システム及び第３の無線通信システムを有する地理的領域で前記第１の無線通信システムによって与えられる干渉を低減する方法であって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用される方法において、
移動体通信機が、前記第１の無線通信システムの前記第１のセルと前記第２のセルとの間の境界に又は該境界の近くに位置し且つ前記第１のセル内の領域を有するスペクトル指向のハンドオーバ領域に配置され、前記第１のセルと通信を行っている場合に、前記第３の無線通信システムの前記１又はそれ以上のセルで干渉を引き起こす前記第１のセルと前記移動体通信機との間の通信の可能性を減じるために、該移動体通信機が前記第１のセルへ目下再割り当てをされている前記スペクトルの部分を使用しないよう該移動体通信機を制御する工程を有する方法。
【請求項２】
前記スペクトル指向のハンドオーバ領域内に配置される前記移動体通信機を制御する工程は、前記第１のセル及び前記移動体通信機が通信を行うスペクトルを、前記第１のセルへ目下再割り当てをされている前記スペクトルの部分から前記第１のセルへ予め割り当てられたスペクトルの部分へ変更する工程を含む、請求項１記載の方法。
【請求項３】
第１の無線通信システム、第２の無線通信システム及び第３の無線通信システムを有する地理的領域で前記第１の無線通信システムによって与えられる干渉を低減する方法であって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用される方法において、
前記第１の無線通信システムの前記第１のセルと前記第２のセルとの間の境界に又は該境界の近くに位置するスペクトル指向のハンドオーバ領域の場所を記憶する工程を有し、
前記スペクトル指向のハンドオーバ領域は前記第１のセル内の領域を有し、該スペクトル指向のハンドオーバ領域内で、前記第１のセルと通信を行っている移動体通信機は、前記第３の無線通信システムの前記１又はそれ以上のセルで干渉を引き起こす前記第１のセルと前記移動体通信機との間の通信の可能性を減じるために、当該移動体通信機が前記第１のセルへ目下再割り当てをされている前記スペクトルの部分を使用しないよう制御される、方法。
【請求項４】
前記第３の無線通信システムの前記１又はそれ以上のセルにおける、前記第１のセルへ目下再割り当てをされている前記スペクトルの部分を用いる前記第１のセルと前記移動体通信機との間の通信によって少なくとも部分的に引き起こされる干渉のレベルに依存して、前記第１のセルで前記スペクトル指向のハンドオーバ領域の特性を動的に変える工程を有する、請求項１乃至３のうちいずれか一項記載の方法。
【請求項５】
前記スペクトル指向のハンドオーバ領域の前記特性に対する前記干渉のレベルに関する所定のマッピングテーブルを記憶する工程と、
前記干渉のレベルに依存して前記スペクトル指向のハンドオーバ領域の前記特性を変えるよう前記マッピングテーブルを使用する工程と
を有する請求項４記載の方法。
【請求項６】
第１の無線通信システム、第２の無線通信システム及び第３の無線通信システムを有する地理的領域で前記第１の無線通信システムによって与えられる干渉を低減するシステムであって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用されるシステムにおいて、
移動体通信機が、前記第１の無線通信システムの前記第１のセルと前記第２のセルとの間の境界に又は該境界の近くに位置し且つ前記第１のセル内の領域を有するスペクトル指向のハンドオーバ領域に配置され、前記第１のセルと通信を行っている場合に、前記第３の無線通信システムの前記１又はそれ以上のセルで干渉を引き起こす前記第１のセルと前記移動体通信機との間の通信の可能性を減じるために、該移動体通信機が前記第１のセルへ目下再割り当てをされている前記スペクトルの部分を使用しないよう該移動体通信機を制御するよう構成される制御回路を有するシステム。
【請求項７】
前記制御回路は、前記第１のセル及び前記移動体通信機が通信を行うスペクトルを、前記第１のセルへ目下再割り当てをされている前記スペクトルの部分から前記第１のセルへ予め割り当てられたスペクトルの部分へ変更することによって、前記スペクトル指向のハンドオーバ領域内に配置される前記移動体通信機を制御するよう構成される、請求項６記載のシステム。
【請求項８】
第１の無線通信システム、第２の無線通信システム及び第３の無線通信システムを有する地理的領域で前記第１の無線通信システムによって与えられる干渉を低減するシステムであって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用されるシステムにおいて、
前記第１の無線通信システムの前記第１のセルと前記第２のセルとの間の境界に又は該境界の近くに位置するスペクトル指向のハンドオーバ領域の場所を記憶するよう構成されるメモリ回路を有し、
前記スペクトル指向のハンドオーバ領域は前記第１のセル内の領域を有し、該スペクトル指向のハンドオーバ領域内で、前記第１のセルと通信を行っている移動体通信機は、前記第３の無線通信システムの前記１又はそれ以上のセルで干渉を引き起こす前記第１のセルと前記移動体通信機との間の通信の可能性を減じるために、当該移動体通信機が前記第１のセルへ目下再割り当てをされている前記スペクトルの部分を使用しないよう制御される、システム。
【請求項９】
前記第３の無線通信システムにおけるセルのグループの中から先頭セルとして割り当てられるセルから、前記スペクトルの部分を用いる前記第１のセルと前記移動体通信機との間の通信によって前記セルのグループに与えられる干渉のレベルを示す信号を送信する工程、を更に有する請求項１又は３に記載の方法。
【請求項１０】
前記第３の無線通信システムにおけるセルのグループの中から先頭セルとして割り当てられるセルから、前記スペクトルの部分を用いる前記第１のセルと前記移動体通信機との間の通信によって前記セルのグループに与えられる干渉のレベルを示す信号を送信するよう構成される通信回路を更に有する請求項６又は８に記載のシステム。
【発明の詳細な説明】
【技術分野】
【０００１】
本発明は、第２の無線通信システムに対して第１の無線通信システムによって与えられる干渉を低減する方法及び装置と、第１の無線通信システムと交信する方法及び装置とに関する。
【背景技術】
【０００２】
最近の調査によれば、幾つかのシステム及び携帯電話事業者はより効率的なスペクトルリソースの使用を極めて必要としており、一方、無線スペクトルリソースのほとんどは大体の場合に十分に活用されないままであることが分かっている。新しいサービス及びアプリケーションを出現させるための柔軟な無線スペクトルの使用に対する要求の高まりは、世界中で多数の研究活動の背後にある動機となっている。無線スペクトルリソースへの効率的なアクセスは、世界中のベンダー及び無線ネットワーク事業者にとって新たな収入源を生み出す。無線基幹設備の新しい設計は、全く新しいやり方でスペクトルを供給する新たな試みの概要を示す。この試みは、最終的に、スペクトルのより良い活用をもたらしうる。提案されるスペクトル管理アーキテクチャ及び近年開発されているスペクトル共有機能は、新たなサービスを事業者ネットワークに合わせるのに必要とされる時間の削減をもたらす。更に、柔軟なスペクトルのアクセス及び活用は、従来のネットワークよりも大きいユーザ満足を与えるより高いサービスの質（ＱｏＳ）を有して、より有能で且つより高速なサービスをもたらす。
【発明の概要】
【発明が解決しようとする課題】
【０００３】
以前より考えられてきたスペクトル管理の考えは、３つの異なる時間スケールにおける４段階のスペクトル管理技術、すなわち、スペクトル共有及び共存（数時間又は数日）、長期スペクトル割り当て（数分）、短期スペクトル割り当て（１秒又は数十ミリ秒）、並びに高速ダイナミックスペクトル割り当て（１０ミリ秒時間スケール又はそれ以下）を伴う。スペクトル共有のための最大の難問のうち１つは、階層的な重畳されたセルラーネットワークにおける短期のモード間スペクトル割り当てである。隣接するセルがスペクトルを交換しているところのイントラＲＡＮ（無線アクセスネットワーク）スペクトル共有及び交換とは違って、セルがもはや隣接せず重なり合っているところの階層重複セルラーネットワークでは、短期及び長期スペクトル割り当ては困難なタスクである。例えば、周波数分割双方向（ＦＤＤ（Frequency  Division  Duplex））モードを有するワイドエリア（ＷＡ）セル内に配置されている時分割双方向（ＴＤＤ（Time  Division  Duplex））を有する大都市地域（ＭＡ）セルに伴って生じる状況で、ＭＡセル又は基地局がＷＡセルへスペクトルのチャンクを割り当てるべき場合に、全てのＭＡセルはＷＡセルによって囲まれているので、ＷＡセルへのスペクトルの如何なる割り当ても、最終的に、他のＭＡセルへの深刻な干渉をもたらしうる。従って、特別のプロトコル及びアルゴリズムが、階層重複セルラーネットワークでの有効な短期スペクトル割り当てのために必要とされる。
【０００４】
図１は、重なり合う階層的なセル構造並びにＴＤＤモード及びＦＤＤモードのための関連するスペクトル割り当てを示す。
【０００５】
図２は、セルＭＡ１〜３からＷＡ１へ割り当てられるスペクトルが他のＷＡセルに配置されている他のＭＡＮのＭＡセルに問題を引き起こしている状況を示す。かかる他のＭＡＮは、割り当ての前にセルＭＡ１〜３が動作していた同じスペクトル帯域内で依然として動作する。干渉は矢印によって示されている。これらの矢印は、干渉を表現するために、（セルＭＡ１〜３から）セルＷＡ１へ割り当てられているスペクトルの部分から、セルＭＡ４〜６によって依然として使用されている等価なスペクトル部分へと向かうよう図示されている。他のＷＡセルにおけるＭＡセルがセルＷＡ１から十分離れて位置する場合は、干渉は重要ではない。しかし、かかるＭＡセルが図２に示されるようにセルＷＡ１の近くに位置する場合は、短期スペクトル割り当ての後にセルＷＡ１からの高出力送信によって引き起こされる干渉は深刻である。
【課題を解決するための手段】
【０００６】
第１の態様に従って、第１の無線通信システム、第２の無線通信システム及び第３の無線通信システムを有する地理的領域で前記第１の無線通信システムによって与えられる干渉を低減する方法であって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用される方法において、
移動体通信機が、前記第１の無線通信システムの前記第１のセルと前記第２のセルとの間の境界に又は該境界の近くに位置し且つ前記第１のセル内の領域を有するスペクトル指向のハンドオーバ領域に配置され、前記第１のセルと通信を行っている場合に、前記第３の無線通信システムの前記１又はそれ以上のセルで干渉を引き起こす前記第１のセルと前記移動体通信機との間の通信の可能性を減じるために、該移動体通信機が前記第１のセルへ目下再割り当てをされている前記スペクトルの部分を使用しないよう該移動体通信機を制御する工程を有する方法が提供される。
【０００７】
このようにして、本発明は、上記の干渉の問題のうち幾つか又は全てを軽減しうるスペクトル指向のハンドオーバのための方法を提供することができる。具体的に、本発明は、セルＭＡ４〜６及び／又はセルＭＡ７〜９に対するセルＷＡ１から／への送信の影響に関する上記問題に対処する。本開示のために、セルＭＡ１〜３のうち１つがセルＷＡ１へスペクトルの部分を割り当てる場合に、他のセルＭＡ１〜３の夫々はまた、その同じスペクトル部分を分配するとする。言い換えると、スペクトルの部分を割り当てる決定は、ネットワークのセルの間で集合的に行われる。スペクトル指向のハンドオーバ領域は、排除区域の代替を提供することができ、且つ／あるいは、排除区域に加えて使用され得る。
【０００８】
本発明は、ネットワーク事業者に利益をもたらしうる。例えば、本発明は、無線リソースがピーク時に必要とされる場合に利用可能であることを確かにすることによって借入団体の収益を改善することができ、更に、余分のスペクトルが無駄にされずに効率良く用いられ得ることを確かにすることによって貸出団体としての事業者に特別の収入源を提供することができる。
【０００９】
本発明によって提供される技術的解決法は、スペクトルが現在のレガシーネットワークで管理されている方法を改善し、更に、新しいサービスをネットワーク事業者に合わせるのに必要とされる時間を削減することができる。協同して、本発明は、スペクトル効率及び利用可能性を有意に改善しながら、無線ネットワークにおける無線スペクトルリソースのより一層柔軟な活用の道を切り開く。本発明は、階層セル構造でセルが密に配置されている場合に、より実行可能となるよう短期スペクトル割り当てを助けることができる。本発明は、ネットワーク全体の補償範囲及びスループットのみならずＱｏＳ及びＳＩＲ（信号対干渉比）を改善しながら、長期及び短期のスペクトル割り当てへ更なる微調整、改善及び柔軟性を提供することができる。本発明は、より多くの無線リソースへのより良く且つより効率的なアクセスを提供することによって呼出閉塞（call  blockage）の可能性を減じることができる。スペクトル指向のハンドオーバ領域は、無線アクセスネットワーク内で動作する“保護区域”スキームの一種と考えられる。干渉の影響を受けるミクロセルは、スペクトル指向のハンドオーバ領域の形で保護区域を拡大するよう、隣接するマクロセルと通信を行う。
【００１０】
本発明は、加入局（subscriber）及びトラフィックの数の増加をもたらしながら、含まれる全てのＲＡＮが利用可能である可能な新たなスペクトル配置への漸次的な移行を行うことができる。本発明は、規定するスペクトル割り当てにおける地理的相違、及び例えばビジネスモデルにおける相違に起因するネットワークの多様な動作に対して柔軟性を提供することができる。ネットワークが利用可能であるスペクトルの適切な適合は、ネットワーク負荷の変化に従って起こりうる。かかる変化は、市場シェアの変化によって、又はトラフィックの毎日の変動によって引き起こされ得る。様々な範囲の端末クラス、サービス及びアプリケーションが実現可能となり且つ事業者に利用可能となりうる。
【００１１】
スペクトル割り当て処理は、第１及び第２の無線通信システムのうち一方の少なくとも１つのセルへ予め割り当てられていたスペクトル帯域の一部を、そのセルから第１及び第２の無線通信システムのうち他方の少なくとも１つのセルへと再割り当てする工程を有することができる。言い換えると、第１のスペクトル帯域が第１の無線通信システムのセルへ予め割り当てられており、第２のスペクトル帯域が第２の無線通信システムのセルへ予め割り当てられていた場合に、スペクトル割り当て処理は、（例えば、第１及び第２の無線通信システムの間のネゴシエーションの間）当該セルの１つから当該セルの他へ、各自の第１又は第２の予め割り当てられているスペクトル帯域の幾つか又は全てを再割り当てする工程を有することができる。“再割り当て”とは、予めスペクトル帯域が割り当てられている無線通信システム又はセルが、そのスペクトル帯域内での動作を許可されることを意味する。
【００１２】
“スペクトル”とは、通信に適した電磁放射線の無線周波数又はいずれかの他の範囲を意味する。例えば、第１及び第２の無線通信システムは、電磁スペクトルの無線周波数範囲内で動作する無線アクセスネットワーク（ＲＡＮ）であっても良い。更に、又は代替的に、無線通信システムは、例えば、マイクロ波周波数範囲内で動作することができる。
【００１３】
用語“無線通信システム”は、例えば基地局等のネットワークの要素の全てを含む、例えば無線アクセスネットワーク（ＲＡＮ）等の無線アクセスネットワークに関連しうる。更に、又は代替的に、それは、例えば基地局等のネットワーク要素のような通信機器に関連しうる。それは、ＲＦＩＤタグ読取器、あるいは、場合により例えば制御回路等の他の装置を含むネットワークを形成するこのような読取器のグループに関連しうる。１つの配置において、第１の無線通信システムはワイドエリアネットワーク（ＷＡＮ）であり、第２及び第３の無線通信システムの夫々は大都市地域ネットワーク（ＭＡＮ）である。
【００１４】
それは、第１、第２及び第３の無線通信システムが階層的な重なり合ったネットワークである場合でありうる。用語“階層重畳ネットワーク”は、部分的に又は全体的にネットワークのうち１つのセルがネットワークの他のセル内にあるという事実に関連しうる。
【００１５】
用語“移動体通信機”は、無線通信システムのうち１又はそれ以上と無線通信を行うことができる無線装置に関連しうる。例えば、この用語は、例えば、携帯電話、携帯情報端末（ＰＤＡ）、ラップトップ若しくはＰＣ等のユーザ装置、又はＲＦＩＤタグに関連しうる。
【００１６】
移動体通信機が第１のセルへ目下再割り当てをされているスペクトルの部分を使用しないように該移動体通信機を制御する工程は、その移動体通信機が、第３の無線通信システムの１又はそれ以上のセルに与えられる干渉をあまり生じさせそうにないいずれかの別のスペクトル部分を使用するように該移動体通信機を制御する工程を含みうる。それは、別のスペクトル部分が第１のセルへ予め割り当てられており、目下再割り当てをされない場合でありうる。この場合に、スペクトル指向のハンドオーバ領域に配置される移動体通信機を制御する工程は、第１のセル及び移動体通信機が通信を行うスペクトルを、第１のセルへ目下再割り当てをされているスペクトルの部分から該第１のセルへ予め割り当てられていたスペクトルの部分へ変更する工程を含む。更に、又は代替的に、それは、前記別のスペクトル部分が第４の無線通信システムへ予め割り当てられており、目下、スペクトル割り当て処理の一部として前記第１のセルへ再割り当てをされている場合でありうる。
【００１７】
前記スペクトルを変更する工程は、前記第１のセルへ予め割り当てられた前記スペクトルの部分の中で動作する前記第２のセルへ前記移動体通信機を切り替える工程を有することができる。前記切り替える工程はソフトハンドオーバを達成する工程を有することができる。
【００１８】
スペクトル指向のハンドオーバ領域は、移動体通信機が、第３の無線通信システムへと移動する場合に、（第１のセルへ目下再割り当てをされているスペクトルの部分を用いて通信を行うことによって）有意な干渉問題を引き起こすほど第３の無線通信システムへ十分に近づく前に、第１のセルへ目下再割り当てをされているスペクトルの部分を用いることを止めるよう制御されるように、いずれかの領域に配置され得る。言い換えると、スペクトル指向のハンドオーバ領域は、移動体通信機が、（当該スペクトル部分を用いる）第１のセルとの通信が第３の無線通信システムに与えている干渉のレベルが所定の閾値に達する前に／場合に、当該スペクトル部分を用いることを妨げられるように位置付けられ得る。多数の要因が干渉（及び結果としてハンドオーバ領域の位置付け）に影響を及ぼしうる。これらには、（ｉ）セル内の区分け（sectorisation）の性質、（ｉｉ）用いられる電力制御方式、（ｉｉｉ）いずれかの時点で各基地局によって扱われているトラフィックの性質、（ｉｖ）いずれかの時点で各基地局へ割り当てられている動作中の加入局の数、（ｖ）用いられるいずれかのスマートアンテナ方式、及び（ｖｉ）アンテナビームの方向が含まれ得る。例えば、スペクトル指向のハンドオーバ領域は、第１の無線通信システムの第１及び第２のセルの間の境界に沿って配置され得る。１つの配置で、ハンドオーバ領域は、第１のセルの境界の少なくとも一部のあたりに配置され得る。これは、第１のセルが第２のセルと境を接する領域に配置されるべきハンドオーバ領域を定める工程を含む。例えば、ハンドオーバ領域は、おおよそ２つのＷＡセルの間の境界に沿って配置され得る。ハンドオーバ領域は、第１のセル内の領域を有するように第１のセルに及び、これにより、移動体通信機は、有意な干渉問題を引き起こすほど十分に第３の無線通信システムに近づく前に、当該スペクトル部分を使用しないように制御され得る。ハンドオーバ領域は、ＷＡセルの間の境界の一方の側又は両側に配置され得、あるいは、それは、第３の無線通信システムが第１のセルからどれほど離れているのか、及び干渉の重大度に依存して、ＷＡセル（例えば、セルＷＡ１。）内に完全に配置され得る。
【００１９】
第１の態様の方法は、いずれかの適切な装置、具体的に、第１の無線通信システム及び移動体通信機のうち一方又は両方によって実行され得る。この方法が第１の無線通信システムによって実行される場合に、第１の無線通信システムは、移動体通信機に、当該スペクトル部分を使用して通信を行うことを止めるよう（更に、事によると、記載されるように、新しいスペクトル部分へ切り替えるよう）求める（すなわち、制御する）ことができる。この方法が移動体通信機によって実行される場合に、移動体通信機は、（例えば、ＧＰＳを用いる）その位置の認識とハンドオーバ領域の位置の認識とに基づいて自立的に新しいスペクトル部分へ切り替わることができる。いずれの場合にも、移動体通信機は、新しいスペクトル部分への成功した切り替えを第１の無線通信システムに知らせるよう該第１の無線通信システムへ（例えば、制御チャネルを介して）信号を送ることができる。
【００２０】
第２の態様に従って、第１の無線通信システム、第２の無線通信システム及び第３の無線通信システムを有する地理的領域で前記第１の無線通信システムによって与えられる干渉を低減する方法であって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用される方法において、
前記第１の無線通信システムの前記第１のセルと前記第２のセルとの間の境界に又は該境界の近くに位置するスペクトル指向のハンドオーバ領域の場所を記憶する工程を有し、
前記スペクトル指向のハンドオーバ領域は前記第１のセル内の領域を有し、該スペクトル指向のハンドオーバ領域内で、前記第１のセルと通信を行っている移動体通信機は、前記第３の無線通信システムの前記１又はそれ以上のセルで干渉を引き起こす前記第１のセルと前記移動体通信機との間の通信の可能性を減じるために、当該移動体通信機が前記第１のセルへ目下再割り当てをされている前記スペクトルの部分を使用しないよう制御される、方法が提供される。
【００２１】
この第２の態様の方法は、前出の第１の態様の方法の特徴のいずれかを有することができる。
【００２２】
いずれの態様の方法も、前記第３の無線通信システムの前記１又はそれ以上のセルにおける干渉のレベルに依存して、前記第１のセルで前記スペクトル指向のハンドオーバ領域のサイズを動的に変える工程を有することができる。ここで、前記干渉は、前記第１のセルへ目下再割り当てをされている前記スペクトルの部分を用いる前記第１のセルと前記移動体通信機との間の通信によって少なくとも部分的に引き起こされる。このようにして、スペクトル指向のハンドオーバ領域のサイズを調整するチューニング方法が提供され得る。ハンドオーバ領域のサイズ（すなわち、面積。）を動的に変更する工程には、干渉のレベルの増大に応答してハンドオーバ領域のサイズを拡大し、一方、干渉のレベルの低減に応答してハンドオーバ領域のサイズを縮小する工程が含まれ得る。
【００２３】
いずれの態様の方法も、干渉のレベルに依存してハンドオーバ領域のサイズを動的に変更するいずれかの適切な手段を有することができる。例えば、方法は、前記スペクトル指向のハンドオーバ領域の前記サイズ（及び／又は他の特性）に対する前記干渉のレベルに関する所定のマッピングテーブルを記憶する工程と、前記干渉のレベルに依存して前記スペクトル指向のハンドオーバ領域の前記特性を変えるよう前記マッピングテーブルを使用する工程とを有することができる。更に、又は代替的に、方法は、アルゴリズムを用いて前記ハンドオーバ領域のサイズ（及び／又は特性）を変える工程を有することができる。このアルゴリズムは、例えば、ハンドオーバ領域の位置付けを参照して上述された要因に基づくことができる。
【００２４】
スペクトル指向のハンドオーバ領域のサイズを変えることに加えて、方法は、前記第３の無線通信システムに与えられる干渉のレベルに依存して前記ハンドオーバ領域の他の特性を動的に変更する工程を有することができる。この特性には、例えば、ハンドオーバ領域の形状及び／又は位置が含まれ得る。１つの配置で、方法は、第２のネットワーク要素に与えられる干渉のレベルに依存して前記ハンドオーバ領域の位置を動的に変更する工程を有する。例えば、ハンドオーバ領域の位置を動的に変更する工程には、前記干渉のレベルの増大に応答して前記第１のセルのネットワーク要素のより近くに（及び／又は前記第３の無線通信システムの前記１又はそれ以上のセルから更に離れて）前記ハンドオーバ領域を動かす工程と、前記干渉のレベルの低減に応答して前記第１のセルのネットワーク要素から更に離れて（及び／又は前記第３の無線通信システムの前記１又はそれ以上のセルのより近くに）前記ハンドオーバ領域を動かす工程とが含まれ得る。干渉のレベルに関する情報を得るために、方法は、前記干渉のレベルを示す（例えば、前記第３の無線通信システムの前記１又はそれ以上のセルから送信される）信号を（例えば、第１のセルで）受信する工程を有することができる。前記第３の無線通信システムの前記セルのうち１つは、当該第３の無線通信システムにおけるネットワーク要素のグループにおいて先頭ネットワーク要素でありうる。
【００２５】
いずれの態様の方法も、前記第１のセルが、前記第２の無線通信システムの前記１又はそれ以上へ予め割り当てられており且つ前記スペクトル割り当て処理の一部として少なくとも前記第１のセルへ目下再割り当てをされている前記スペクトルの部分を用いて前記移動体通信機と通信を行っていると決定するいずれかの適切な手段を有することができる。
【００２６】
いずれの態様の方法も、前記移動体通信機が前記スペクトル指向のハンドオーバ領域内にあると決定するいずれかの適切な手段を有することができる。例えば、方法は、前記移動体通信機がセルラーネットワーク（例えば、ＷＡＮ又はＭＡＮ。）の特定のセル内にあるか否かを決定する既存の技術、例えば、ＧＰＳ及び受信信号強度技術を使用することができる。これは、レガシーシステムにおけるユーザ設備が周囲のＷＡネットワークから大都市地域セル内に移動する場合にＴＤＤセルを登録するのと同様の方法で行われ得る。１つの配置で、方法は、前記第１のセルと前記移動体通信機との間の通信の信号強度が所定の時間量を下回っていることを決定する工程を有することができる。このようにして、前記移動体通信機が前記スペクトル指向のハンドオーバ領域内にあることが決定される。
【００２７】
記載されるように当該スペクトル部分を使用しないように移動体通信機を制御することに加えて、方法は、また、前記移動体通信機の制御に続いて（前記第１の無線通信システムの又は他の無線通信システムの）前記第１のセルから前記第２のセルへの又は他のセルへのハンドオーバを達成する工程を有することができる。このハンドオーバは、ソフトハンドオーバであっても又はハードハンドオーバであっても良い。“ハンドオーバ（handover）”とは、“ハンドオフ（handoff）”と同じことを意味する。ワイドエリアセルから大都市地域セルへのハンドオーバのために、既存の手順が使用され得る。この手順で、多数の閾値が、ＷＡセルとＭＡセルとの間の適切なハンドオーバ決定を行うために割り当てられる。ユーザ設備の移動方向及び現在の位置は、どのセルへユーザ設備が引き渡されるのかを決定するために使用され得る。実際のハンドオーバは、上述されるようなスペクトルの調整後に行われ得る。一例として、ＵＭＴＳ又はＬＴＥハンドオーバ処理が使用されても良い。留意すべきは、上記の移動体通信機の制御は、移動体通信機の移動の方向と、どのセルへ移動体通信機が引き渡されるのかという決定とに関わらず好ましい点である。
【００２８】
ハンドオーバ領域の特性を関係部に通知することが有用である。１つの配置で、方法は、前記ハンドオーバ領域の特性（例えば、サイズ。）を示す信号を（前記第１のセルから）送信する工程を有する。この信号は、例えば、前記移動体通信機へ及び／又は前記第３の無線通信システムへ、あるいはいずれかの他の関係部へ送信され得る。例えば、特性には、前記ハンドオーバ領域のサイズが含まれ得る。
【００２９】
第３の態様に従って、第１の無線通信システム、第２の無線通信システム及び第３の無線通信システムを有する地理的領域で前記第１の無線通信システムによって与えられる干渉を低減する装置であって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用される装置において、
移動体通信機が、前記第１の無線通信システムの前記第１のセルと前記第２のセルとの間の境界に又は該境界の近くに位置し且つ前記第１のセル内の領域を有するスペクトル指向のハンドオーバ領域に配置され、前記第１のセルと通信を行っている場合に、前記第３の無線通信システムの前記１又はそれ以上のセルで干渉を引き起こす前記第１のセルと前記移動体通信機との間の通信の可能性を減じるために、該移動体通信機が前記第１のセルへ目下再割り当てをされている前記スペクトルの部分を使用しないよう該移動体通信機を制御するよう構成される制御回路を有する装置が提供される。
【００３０】
前記制御回路は、前記第１のセル及び前記移動体通信機が通信を行うスペクトルを、前記第１のセルへ目下再割り当てをされている前記スペクトルの部分から前記第１のセルへ予め割り当てられたスペクトルの部分へ変更することによって、前記スペクトル指向のハンドオーバ領域内に配置される前記移動体通信機を制御するよう構成され得る。
【００３１】
前記制御回路は、前記第１のセルへ予め割り当てられた前記スペクトルの部分の中で動作する前記第２のセルへ前記移動体通信機を切り替えることによって、前記スペクトルを変更するよう構成され得る。
【００３２】
第４の態様に従って、第１の無線通信システム、第２の無線通信システム及び第３の無線通信システムを有する地理的領域で前記第１の無線通信システムによって与えられる干渉を低減する装置であって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用される装置において、
前記第１の無線通信システムの前記第１のセルと前記第２のセルとの間の境界に又は該境界の近くに位置するスペクトル指向のハンドオーバ領域の場所を記憶するよう構成されるメモリ回路を有し、
前記スペクトル指向のハンドオーバ領域は前記第１のセル内の領域を有し、該スペクトル指向のハンドオーバ領域内で、前記第１のセルと通信を行っている移動体通信機は、前記第３の無線通信システムの前記１又はそれ以上のセルで干渉を引き起こす前記第１のセルと前記移動体通信機との間の通信の可能性を減じるために、当該移動体通信機が前記第１のセルへ目下再割り当てをされている前記スペクトルの部分を使用しないよう制御される、装置が提供される。
【００３３】
この第４の態様の装置は、前出の第３の態様の装置の特徴のいずれかを有することができる。
【００３４】
いずれの態様の装置も、前記第３の無線通信システムの前記１又はそれ以上のセルにおける干渉のレベルに依存して、前記第１のセルで前記スペクトル指向のハンドオーバ領域の特性を動的に変えるよう構成される領域設定回路を有することができる。ここで、前記干渉は、前記第１のセルへ目下再割り当てをされている前記スペクトルの部分を用いる前記第１のセルと前記移動体通信機との間の通信によって少なくとも部分的に引き起こされる。
【００３５】
いずれの態様の装置も、前記スペクトル指向のハンドオーバ領域の前記特性に対する前記干渉のレベルに関する所定のマッピングテーブルを記憶するよう構成されるマッピング回路を有することができる。この場合に、前記領域設定回路は、前記干渉のレベルに依存して前記スペクトル指向のハンドオーバ領域の前記特性を変えるように前記マッピングテーブルを使用するよう構成される。
【００３６】
前記領域設定回路は、該スペクトル指向のハンドオーバ領域のサイズを変えるよう構成され得る。
【００３７】
前記スペクトル指向のハンドオーバ領域のサイズの変更は、前記第１の無線通信システム（例えば、ＷＡＮ。）、前記第２又は第３の無線通信システム（例えば、ＭＡＮ。）、及びこれらのシステムのいずれとも別個のハンドオーバ領域コントローラである外部回路のうちいずれか１又はそれ以上によって実行され得る。
【００３８】
第５の態様で、第１の無線通信システム、第２の無線通信システム及び第３の無線通信システムを有する地理的領域で前記第１の無線通信システムと交信する方法であって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用される方法において、
前記第３の無線通信システムにおけるセルのグループの中から先頭セルとして割り当てられるセルから、前記スペクトルの部分を用いる前記第１のセルと前記移動体通信機との間の通信によって前記セルのグループに与えられる干渉のレベルを示す信号を送信する工程を有する方法が提供される。
【００３９】
このようにして、前記第３の無線通信システムは、上述されるように、前記ハンドオーバ領域の特性の決定に寄与することができる。
【００４０】
この方法は、前記第１の無線通信システムへ、例えば、前記第１のセルへ信号を送信する工程を有することができる。この信号は、例えば、上述されるように、前記ハンドオーバ領域の特性を決定するために前記第１の無線通信システムによって使用され得る。
【００４１】
この方法は、干渉のレベルを得るいずれかの適切な方法を有することができる。１つの配置で、方法は、干渉のレベルを測定する工程を有することができる。この関連で、方法は、前記先頭セルから、前記セルのグループにおける各セルに与えられる干渉のレベルの測定に関する要求を送信する工程と、前記セルのグループにおけるセルから該測定を示す信号を受信する工程とを有することができる。
【００４２】
方法は、前記先頭セルから（例えば、前記セルのグループにおける他のセルへ）、前記セルのグループにおける各セルに与えられる干渉のレベルの測定に関する要求を送信する工程と、前記セルのグループにおけるセルから該測定を示す信号を受信する工程とを有することができる。
【００４３】
方法は、測定された干渉のレベルと閾値との間の差を（例えば、前記先頭セルで）計算する工程を有することができる。方法は、例えば、前記第１の無線通信システム、及び、具体的には、前記第１の無線通信システムの前記第１のセルへ、前記差を示す信号を送信する工程を更に有することができる。
【００４４】
この第５の態様の方法は、前記第３の無線通信システムから、前記スペクトル指向のハンドオーバ領域の特性の変更（例えば、サイズの増大。）に関する要求を送信する工程を有することができる。この要求は、前記第１の無線通信システムへ、例えば、前記第１のセル及び前記第２のセルの一方又は両方へ、送信され得る。
【００４５】
方法は、前記セルのグループにおけるセルのうち１つを前記先頭セルとして選択する工程を有することができる。例えば、方法は、問題のある領域又はハンドオーバ領域に最も近いセルを前記先頭セルとして選択することができる。他の配置で、方法は、（前記スペクトル指向のハンドオーバ領域の方向で）最も高いレベルの干渉を受けているセルを前記先頭セルとして選択することができる。
【００４６】
第６の態様で、第１の無線通信システム、第２の無線通信システム及び第３の無線通信システムを有する地理的領域で前記第１の無線通信システムと交信する装置であって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用される装置において、
前記第３の無線通信システムにおけるセルのグループの中から先頭セルとして割り当てられるセルから、前記スペクトルの部分を用いる前記第１のセルと前記移動体通信機との間の通信によって前記セルのグループに与えられる干渉のレベルを示す信号を送信するよう構成される通信回路を有する装置が提供される。
【００４７】
前記通信回路は、前記第１の無線通信システムへ、例えば、前記第１のセルへ、前記信号を送信するよう構成され得る。
【００４８】
装置は、干渉のレベルを測定するよう構成される測定回路を有することができる。この関連で、前記通信回路は、前記先頭セルから、前記セルのグループにおける各セルに与えられる干渉のレベルの測定に関する要求を送信し、且つ、前記セルのグループにおけるセルから該特性を示す信号を受信するよう構成され得る。
【００４９】
前記通信回路は、前記先頭セルから（例えば、前記セルのグループにおける他のセルへ）、前記セルのグループにおける各セルに与えられる干渉のレベルの測定に関する要求を送信し、且つ、前記セルのグループにおけるセルから該測定を示す信号を受信するよう構成され得る。
【００５０】
装置は、測定される干渉のレベルと閾値との間の差を計算するよう構成される計算回路を（例えば、前記先頭セルで）有することができる。前記通信回路は、例えば、前記第１の無線通信システム、及び、具体的に、前記第１の無線通信システムの前記第１のセルへ前記差を示す信号を送信するよう構成され得る。
【００５１】
前記装置は、前記セルのグループにおけるセルのうち１つを前記先頭セルとして選択するよう構成され得る。
【００５２】
第７の態様で、コンピュータで実行される場合に、該コンピュータに前出の第１、第２又は第５の態様のうちいずれか１又はそれ以上の方法を実行させるコンピュータプログラムが提供される。
【００５３】
第８の態様で、コンピュータにロードされる場合に、該コンピュータを前出の第３、第４又は第６の態様のうちいずれか１又はそれ以上の装置として機能させるコンピュータプログラムが提供される。
【００５４】
第９の態様で、キャリア媒体によって搬送される前出の第７又は第８の態様のコンピュータプログラムが提供される。
【００５５】
前記キャリア媒体は、記録媒体、又は送信媒体でありうる。
【００５６】
第１０の態様で、コンピュータで実行される場合に、該コンピュータに、
第１の無線通信システム、第２の無線通信システム及び第３の無線通信システムを有する地理的領域で前記第１の無線通信システムによって与えられる干渉を低減する方法であって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用される方法において、
移動体通信機が、前記第１の無線通信システムの前記第１のセルと前記第２のセルとの間の境界に又は該境界の近くに位置し且つ前記第１のセル内の領域を有するスペクトル指向のハンドオーバ領域に配置され、前記第１のセルと通信を行っている場合に、前記第３の無線通信システムの前記１又はそれ以上のセルで干渉を引き起こす前記第１のセルと前記移動体通信機との間の通信の可能性を減じるために、該移動体通信機が前記第１のセルへ目下再割り当てをされている前記スペクトルの部分を使用しないよう該移動体通信機を制御する工程を有する方法
を実行させるコンピュータプログラムが提供される。
【００５７】
第１１の態様で、コンピュータで実行される場合に、該コンピュータに、
第１の無線通信システム、第２の無線通信システム及び第３の無線通信システムを有する地理的領域で前記第１の無線通信システムによって与えられる干渉を低減する方法であって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用される方法において、
前記第１の無線通信システムの前記第１のセルと前記第２のセルとの間の境界に又は該境界の近くに位置するスペクトル指向のハンドオーバ領域の場所を記憶する工程を有し、
前記スペクトル指向のハンドオーバ領域は前記第１のセル内の領域を有し、該スペクトル指向のハンドオーバ領域内で、前記第１のセルと通信を行っている移動体通信機は、前記第３の無線通信システムの前記１又はそれ以上のセルで干渉を引き起こす前記第１のセルと前記移動体通信機との間の通信の可能性を減じるために、当該移動体通信機が前記第１のセルへ目下再割り当てをされている前記スペクトルの部分を使用しないよう制御される、方法
を実行させるコンピュータプログラムが提供される。
【００５８】
第１２の態様で、コンピュータで実行される場合に、該コンピュータに、
第１の無線通信システム、第２の無線通信システム及び第３の無線通信システムを有する地理的領域で前記第１の無線通信システムと交信する方法であって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用される方法において、
前記第３の無線通信システムにおけるセルのグループの中から先頭セルとして割り当てられるセルから、前記スペクトルの部分を用いる前記第１のセルと前記移動体通信機との間の通信によって前記セルのグループに与えられる干渉のレベルを示す信号を送信する工程を有する方法
を実行させるコンピュータプログラムが提供される。
【００５９】
いずれの回路も、１又はそれ以上のプロセッサ、メモリ及びバスラインを有することができる。記載される回路のうち１又はそれ以上は、回路素子を共有することができる。
【００６０】
本発明には、その組み合わせで又は分離して具体的に述べられていようとなかろうと（請求されていようとなかろうと）、１又はそれ以上の態様、実施形態又は特徴が分離して又は様々な組み合わせで含まれている。
【００６１】
以上の記載は、単なる例示であって、本発明を限定するものではない。
【発明の効果】
【００６２】
本開示の方法及び装置によれば、干渉を低減することが可能なスペクトル指向のハンドオーバが提供される。
【図面の簡単な説明】
【００６３】
【図１】ＦＤＤモード及びＴＤＤモードを夫々用いる第１及び第２の無線通信システムの間でスペクトル割り当て処理が行われるところの階層重畳セルラーネットワークを表す。
【図２】図１の階層重畳セルラーネットワークで起こりうる干渉問題と、スペクトル指向のハンドオーバ領域とを示す。
【図３】図３で示されるスペクトル割り当てを表す図をより詳細に示す。
【図４】スペクトル指向のハンドオーバ領域の新しいサイズをユーザ設備に知らせるワイドエリアネットワークのセルの基地局を表す。
【図５】スペクトル指向のハンドオーバの方法で行われうる信号伝達を表す。
【図６】干渉低減方法を表すフローチャートである。
【図７】干渉低減方法を表すフローチャートである。
【図８】第１の無線通信システムと交信する方法を表すフローチャートである。
【発明を実施するための形態】
【００６４】
以下の実施形態は、単なる一例にすぎず、添付の図面を参照して記載される。
【００６５】
図２は、周波数分割双方向（ＦＤＤ（Frequency  Division  Duplex））モードで動作する各自の基地局ＢＳ１〜３を有するセルＷＡ１〜３を含むワイドエリアネットワーク（ＷＡＮ）に伴うスペクトル割り当てシナリオを示す。第１の大都市地域ネットワークＭＡＮ１は、ＷＡＮのセルＷＡ１に位置し、時分割双方向（ＴＤＤ（Time  Division  Duplex））モードで動作するセルＭＡ１〜３を有する。第２の大都市地域ネットワークＭＡＮ２は、ＷＡＮのセルＷＡ２に位置し、ＴＤＤモードで動作するセルＭＡ４〜６を有する。第３の大都市地域ネットワークＭＡＮ３は、ＷＡＮのセルＷＡ３に位置し、ＴＤＤモードで動作するセルＭＡ７〜９を有する。
【００６６】
ＷＡＮは、ＭＡＮ１〜３のうちいずれか１以上及びＷＡＮに伴うスペクトル割り当て処理に関与するよう使用に際して動作可能である。例えば、図３は、ワイドエリアネットワーク及び大都市地域ネットワークがこのようなスペクトル割り当て処理に続いて動作することができるスペクトル帯域の一例を示す。この例では、大都市地域ネットワークＭＡＮ１〜３の各セルＭＡ１〜９は、予め割り当てられているスペクトル帯域１０を有し、セルＷＡ１〜３は、（図３に示される２つの部分１２Ａ及び１２Ｂから成る）予め割り当てられているスペクトル帯域１２を有する。図３に示されるスペクトル帯域１０の（２つの部分１４Ａ及び１４Ｂから成る）部分１４は、スペクトル割り当て処理でセルＭＡ１〜３からセルＷＡ１へ再割り当てをされている。
【００６７】
上記の干渉問題を軽減するために、スペクトル指向のハンドオーバ領域２０（図２参照）は、第２及び第３の大都市地域ネットワークＭＡＮ２〜３のセルＭＡ４〜９と基地局ＢＳ１との間に配置されている。より具体的には、スペクトル指向のハンドオーバ領域２０は、セルＷＡ１とセルＷＡ２との間の境界に沿って、更には、セルＷＡ１とセルＷＡ３との間の境界に沿って配置されている。ハンドオーバ領域２０は、セルＷＡ１に及び、セルＷＡ１内の領域を有する。
【００６８】
スペクトル指向のハンドオーバ領域２０は、第２の大都市地域ネットワークＭＡＮ２のセルＭＡ４〜６で干渉を生ずる移動体通信機３０とセルＷＡ１との間の通信の可能性を減じるために、スペクトル指向のハンドオーバ領域２０に位置し且つセルＷＡ１と通信する移動体通信機３０が目下セルＷＡ１へ再割り当てをされているスペクトルの部分１４を使用しないよう制御されることを示す。この配置で、移動体通信機３０がその間スペクトル指向のハンドオーバ領域２０内でオンされる場合に、移動体通信機３０は、移動体通信機３０の初期設定においてセルＷＡ１へ予め割り当てられていたスペクトルの部分１２を使用するように制御され得る。また、この配置で、移動体通信機３０が、図２に示されるように、セルＷＡ１との通信中に（セルＷＡ１から）スペクトル指向のハンドオーバ領域２０に移動する場合に、移動体通信機３０はスペクトルを変更するよう制御され得る。このスペクトル内で、セルＷＡ１及び移動体通信機３０は、セルＷＡ１へ目下再割り当てをあれているスペクトルの部分１４からセルＷＡ１へ予め割り当てられていたスペクトルの部分１２へ通信する。ＭＡＮ２及びＭＡＮ３は、スペクトル部分１４をＷＡ１へ再割り当てすることなく、依然として全てのスペクトル部分１０で動作しているので、ＭＡＮ２及びＭＡＮ３の近くでの移動体通信機３０によるスペクトル部分１４の如何なる使用も、それらのネットワークに与えられる問題のある干渉を生じさせる可能性を有する。記載されるようなスペクトル指向のハンドオーバ領域２０の使用を通して、移動体通信機３０は、ＷＡ１とＷＡ２又はＷＡ３のいずれか一方との間の境界に達する前に、スペクトル部分１２内で動作するよう制御される。これにより、ＭＡＮ２及びＭＡＮ３に関して干渉の問題は生じない。これは、ハンドオーバ領域２０がセルＷＡ１に及ぶためである。このようにして、問題のある干渉の可能性は低減される。
【００６９】
移動体通信機がスペクトル部分１２に切り替えられた後であって、且つセルＷＡ２及びＷＡ３のうち１つへのハンドオーバ後に、セルＷＡ２又はＷＡ３は、また、スペクトル部分１２内で動作すること（具体的に、セルＷＡ２又はＷＡ３はスペクトル帯域１４では動作しないこと）が有用である。実際に、ネットワークは、１のスペクトル・ネゴシエーションしか１度に起こらないことを可能にする（すなわち、ＷＡ１〜３に伴う同時の割り当てを防ぐ。）。更に、ＷＡ１はＷＡ２及びＷＡ３に関して状況を承知しており、且つＷＡ１は、ＷＡ２及びＷＡ３がスペクトル割り当てを知るように如何なる割り当てもネットワークに通知することが有用である。例えば、ＷＡ２が仮にＭＡ４〜６からスペクトルのチャンクを既に借りている場合に、ＷＡ１は、その割り当てられているチャンクとの如何なる重複も回避する。たとえＷＡ１が仮にＭＡ１〜３から異なるサブチャンクを借りるとしても、移動体通信機は、やはりスペクトル部分１２へ切り替わって、干渉を低減することができる。
【００７０】
この配置で、セルＷＡ１は、上記の方法（図６参照）で移動体通信機３０を制御するよう構成される制御回路（図示せず。）を有する。制御回路は、移動体通信機３０がスペクトル指向のハンドオーバ領域２０内にあることを検出するよう動作する。この動作は、既知の方法でＧＰＳ及び／又は受信信号強度測定を用いて行われ得る。この動作は、制御回路と移動体通信機３０との間の通信を伴うことがある。制御回路は、スペクトル指向のハンドオーバ領域２０の場所を記憶する（図７参照）。このような検出に応答して、制御回路は、上述されたように、移動体通信機３０に、セルＷＡ１へ予め割り当てられていたスペクトルの部分１２へ切り替わるよう求めるように、移動体通信機３０へ信号を送る。他の配置で、制御回路は移動体通信機３０の部分を形成し、更に、その位置の認識及びスペクトル指向のハンドオーバ領域２０の場所の認識に基づいて、制御回路はスペクトルの部分１２へ移動体通信機３０を切り替える。
【００７１】
制御回路に加えて、この配置で、セルＷＡ１は、第２の大都市地域ネットワークＭＡＮ２におけるセルＭＡ４〜６のうち１若しくはそれ以上、及び／又は第３の大都市地域ネットワークＭＡＮ３におけるセルＭＡ７〜９のうち１若しくはそれ以上における干渉のレベルに依存して、セルＷＡ１でスペクトル指向のハンドオーバ領域２０のサイズを変えるよう動的に構成される領域設定回路（図示せず。）を有する。干渉は、セルＷＡ１へ目下再割り当てをされているスペクトルの部分１４を用いるセルＷＡ１と移動体通信機３０との間の通信によって引き起こされる。セルＷＡ１は、また、スペクトル指向のハンドオーバ領域２０のサイズに対する干渉のレベルに関する所定のマッピングテーブルを記憶するよう構成されるマッピング回路（図示せず。）を有する。領域設定回路は、マッピングテーブルを用いて、干渉のレベルに依存してスペクトル指向のハンドオーバ領域２０のサイズを変えるよう構成される。
【００７２】
干渉のレベルに関する情報を得るために、制御回路は、干渉のレベルを示す信号を受信するよう構成される。この信号は、例えば、ＭＡＮ２及びＭＡＮ３の一方又は両方から受信される。制御回路は、図４に示されるように、スペクトル指向のハンドオーバ領域２０のサイズが決定されると、スペクトル指向のハンドオーバ領域２０の範囲を示す信号を送信するよう構成される。この信号は、移動体通信機３０によって又はＭＡＮ２若しくはＭＡＮ３によって受信され得る。
【００７３】
他の配置で、制御回路及び／又はマッピング回路は、スペクトル指向ハンドオーバ領域コントローラ（図示せず。）等の外部回路又は大都市地域ネットワークの部分を形成する。
【００７４】
第２の大都市地域ネットワークＭＡＮ２で、先頭セルは、影響を及ぼされるセル（例えば、図２中のＭＡ４〜６。）のクラスタへ割り当てられる。先頭セルは、他のセルに、スペクトルの部分１４での干渉レベルを測定するよう求める。次いで、先頭セルは、測定される干渉のレベルと閾値との間の差を測定し、干渉レベルの高まりをセルＷＡ１に報告する（図８参照）。次いで、セルＷＡ１は、上述されるように、スペクトル指向のハンドオーバ領域２０の新しいサイズへ干渉レベルをマッピングする。次いで、セルＷＡ１は、他らしいハンドオーバ領域を達成し、図４に示されるように、新しい領域がその時から有効であることを移動体通信機３０に知らせる。
【００７５】
図５は、上記のシナリオ及び装置に基づく１つの配置で行われる信号伝達を示す。示されるように、先頭セル（例えば、セルＭＡ４。）は、クラスタにおける他のセル（例えば、セルＭＡ５〜６。）からの選択されるスペクトルチャンクでの干渉測定を要求する。次いで、かかる他のセルは、全てのサブチャンクでの干渉を測定し、最大の干渉レベルを有するものを特定する。同時に、先頭セルは、全てのサブチャンクでの干渉を測定し、最大の干渉レベルを有するものを特定する。次いで、他のセルは、干渉の報告を先頭セルへ送信する。先頭セルは、報告された干渉レベルと所定の閾値との間の差を計算する（この差は、システムでの干渉増大を表す。）。先頭セルは、隣接する領域のマクロセル（例えば、セルＷＡ１。）へこの差を報告する。次いで、そのマクロセルは、（ルックアップテーブル又はアルゴリズムを用いて）ハンドオーバ領域２０のサイズへ干渉増大をマッピングする。干渉増大が大きくなればなるほど、ハンドオーバ領域２０のサイズはますます大きくなる。次いで、セルＷＡ１は、新しいハンドオーバ領域を採用し、そのセルにおけるあらゆる移動体通信機に通知する。次いで、セルＷＡ１は、あらゆる影響を及ぼされる移動体通信機もハンドオーバを行う（上述されるように、ハンドオーバ処理は既知の処理である。）。
【００７６】
留意すべきは、本発明はワイドエリアネットワーク及び大都市地域ネットワークを参照して記載されているが、重なり合わないセルを有する他の種類のネットワークへも適用可能である点である。例えば、本発明はＲＦＩＤネットワークへ適用され得る。
【００７７】
明らかであるように、上記の回路は、記載される機能に加えて他の機能を有することができ、更に、これらの機能は同じ回路によって実行され得る。
【００７８】
これによって、本願は、ここに記載される夫々の個々の機能及び２又はそれ以上のこのような機能の組み合わせを、このような特徴又は特徴の組み合わせがここに開示される如何なる問題も解消するかどうかに関わりなく、且つ特許請求の範囲の適用範囲を限定することなく、このような特徴又は組み合わせが当該技術における通常の知識を考慮して全体として本明細書に基づき実行され得る限り、分離して開示する。本願は、本発明の態様がいずれかのこのような個々の特徴又は特徴の組み合わせから成ることを示す。前述の記載を鑑みて、様々な変形が本発明の適用範囲内で行われ得ることは当業者にとって明らかである。
【００７９】
以上の実施形態に関し、更に以下の付記を開示する。
【００８０】
（付記１）
第１の無線通信システム、第２の無線通信システム及び第３の無線通信システムを有する地理的領域で前記第１の無線通信システムによって与えられる干渉を低減する方法であって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用される方法において、
移動体通信機が、前記第１の無線通信システムの前記第１のセルと前記第２のセルとの間の境界に又は該境界の近くに位置し且つ前記第１のセル内の領域を有するスペクトル指向のハンドオーバ領域に配置され、前記第１のセルと通信を行っている場合に、前記第３の無線通信システムの前記１又はそれ以上のセルで干渉を引き起こす前記第１のセルと前記移動体通信機との間の通信の可能性を減じるために、該移動体通信機が前記第１のセルへ目下再割り当てをされている前記スペクトルの部分を使用しないよう該移動体通信機を制御する工程を有する方法。
【００８１】
（付記２）
前記スペクトル指向のハンドオーバ領域内に配置される前記移動体通信機を制御する工程は、前記第１のセル及び前記移動体通信機が通信を行うスペクトルを、前記第１のセルへ目下再割り当てをされている前記スペクトルの部分から前記第１のセルへ予め割り当てられたスペクトルの部分へ変更する工程を含む、付記１記載の方法。
【００８２】
（付記３）
前記スペクトルを変更する工程は、前記第１のセルへ予め割り当てられた前記スペクトルの部分の中で動作する前記第２のセルへ前記移動体通信機を切り替える工程を含む、付記２記載の方法。
【００８３】
（付記４）
前記切り替える工程はソフトハンドオーバを達成する工程を含む、付記３記載の方法。
【００８４】
（付記５）
第１の無線通信システム、第２の無線通信システム及び第３の無線通信システムを有する地理的領域で前記第１の無線通信システムによって与えられる干渉を低減する方法であって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用される方法において、
前記第１の無線通信システムの前記第１のセルと前記第２のセルとの間の境界に又は該境界の近くに位置するスペクトル指向のハンドオーバ領域の場所を記憶する工程を有し、
前記スペクトル指向のハンドオーバ領域は前記第１のセル内の領域を有し、該スペクトル指向のハンドオーバ領域内で、前記第１のセルと通信を行っている移動体通信機は、前記第３の無線通信システムの前記１又はそれ以上のセルで干渉を引き起こす前記第１のセルと前記移動体通信機との間の通信の可能性を減じるために、当該移動体通信機が前記第１のセルへ目下再割り当てをされている前記スペクトルの部分を使用しないよう制御される、方法。
【００８５】
（付記６）
前記第３の無線通信システムの前記１又はそれ以上のセルにおける、前記第１のセルへ目下再割り当てをされている前記スペクトルの部分を用いる前記第１のセルと前記移動体通信機との間の通信によって少なくとも部分的に引き起こされる干渉のレベルに依存して、前記第１のセルで前記スペクトル指向のハンドオーバ領域の特性を動的に変える工程を有する、付記１乃至５のうちいずれか一項記載の方法。
【００８６】
（付記７）
前記スペクトル指向のハンドオーバ領域の前記特性に対する前記干渉のレベルに関する所定のマッピングテーブルを記憶する工程と、
前記干渉のレベルに依存して前記スペクトル指向のハンドオーバ領域の前記特性を変えるよう前記マッピングテーブルを使用する工程と
を有する付記６記載の方法。
【００８７】
（付記８）
前記スペクトル指向のハンドオーバ領域の前記特性を変える工程は、該スペクトル指向のハンドオーバ領域のサイズを変える工程を含む、付記６又は７記載の方法。
【００８８】
（付記９）
第１の無線通信システム、第２の無線通信システム及び第３の無線通信システムを有する地理的領域で前記第１の無線通信システムによって与えられる干渉を低減する装置であって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用される装置において、
移動体通信機が、前記第１の無線通信システムの前記第１のセルと前記第２のセルとの間の境界に又は該境界の近くに位置し且つ前記第１のセル内の領域を有するスペクトル指向のハンドオーバ領域に配置され、前記第１のセルと通信を行っている場合に、前記第３の無線通信システムの前記１又はそれ以上のセルで干渉を引き起こす前記第１のセルと前記移動体通信機との間の通信の可能性を減じるために、該移動体通信機が前記第１のセルへ目下再割り当てをされている前記スペクトルの部分を使用しないよう該移動体通信機を制御するよう構成される制御回路を有する装置。
【００８９】
（付記１０）
前記制御回路は、前記第１のセル及び前記移動体通信機が通信を行うスペクトルを、前記第１のセルへ目下再割り当てをされている前記スペクトルの部分から前記第１のセルへ予め割り当てられたスペクトルの部分へ変更することによって、前記スペクトル指向のハンドオーバ領域内に配置される前記移動体通信機を制御するよう構成される、付記９記載の装置。
【００９０】
（付記１１）
前記制御回路は、前記第１のセルへ予め割り当てられた前記スペクトルの部分の中で動作する前記第２のセルへ前記移動体通信機を切り替えることによって、前記スペクトルを変更するよう構成される、付記１０記載の装置。
【００９１】
（付記１２）
前記制御回路は、ソフトハンドオーバを達成するよう構成される、付記１１記載の装置。
【００９２】
（付記１３）
第１の無線通信システム、第２の無線通信システム及び第３の無線通信システムを有する地理的領域で前記第１の無線通信システムによって与えられる干渉を低減する装置であって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用される装置において、
前記第１の無線通信システムの前記第１のセルと前記第２のセルとの間の境界に又は該境界の近くに位置するスペクトル指向のハンドオーバ領域の場所を記憶するよう構成されるメモリ回路を有し、
前記スペクトル指向のハンドオーバ領域は前記第１のセル内の領域を有し、該スペクトル指向のハンドオーバ領域内で、前記第１のセルと通信を行っている移動体通信機は、前記第３の無線通信システムの前記１又はそれ以上のセルで干渉を引き起こす前記第１のセルと前記移動体通信機との間の通信の可能性を減じるために、当該移動体通信機が前記第１のセルへ目下再割り当てをされている前記スペクトルの部分を使用しないよう制御される、装置。
【００９３】
（付記１４）
前記第３の無線通信システムの前記１又はそれ以上のセルにおける、前記第１のセルへ目下再割り当てをされている前記スペクトルの部分を用いる前記第１のセルと前記移動体通信機との間の通信によって少なくとも部分的に引き起こされる干渉のレベルに依存して、前記第１のセルで前記スペクトル指向のハンドオーバ領域の特性を動的に変えるよう構成される領域設定回路を有する、付記９乃至１３のうちいずれか一項記載の装置。
【００９４】
（付記１５）
前記スペクトル指向のハンドオーバ領域の前記特性に対する前記干渉のレベルに関する所定のマッピングテーブルを記憶するよう構成されるマッピング回路を有し、
前記領域設定回路は、前記干渉のレベルに依存して前記スペクトル指向のハンドオーバ領域の前記特性を変えるように前記マッピングテーブルを使用するよう構成される、付記１４記載の装置。
【００９５】
（付記１６）
前記領域設定回路は、該スペクトル指向のハンドオーバ領域のサイズを変えるよう構成される、付記１４又は１５記載の装置。
【００９６】
（付記１７）
第１の無線通信システム、第２の無線通信システム及び第３の無線通信システムを有する地理的領域で前記第１の無線通信システムと交信する方法であって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用される方法において、
前記第３の無線通信システムにおけるセルのグループの中から先頭セルとして割り当てられるセルから、前記スペクトルの部分を用いる前記第１のセルと前記移動体通信機との間の通信によって前記セルのグループに与えられる干渉のレベルを示す信号を送信する工程を有する方法。
【００９７】
（付記１８）
第１の無線通信システム、第２の無線通信システム及び第３の無線通信システムを有する地理的領域で前記第１の無線通信システムと交信する装置であって、前記第１の無線通信システムは互いに隣接する少なくとも第１及び第２のセルを有し、前記第２の無線通信システムの少なくとも一部は前記第１のセル内に配置され、前記第３の無線通信システムの少なくとも一部は前記第２のセル内に配置され、前記第１のセルはスペクトル割り当て処理に関与し、該スペクトル割り当て処理の結果として、前記第２の無線通信システムの１又はそれ以上のセルへ予め割り当てられたスペクトルの部分は目下前記第１のセルへ再割り当てをされ、前記スペクトルの部分は前記第３の無線通信システムの１又はそれ以上のセルによっても使用される装置において、
前記第３の無線通信システムにおけるセルのグループの中から先頭セルとして割り当てられるセルから、前記スペクトルの部分を用いる前記第１のセルと前記移動体通信機との間の通信によって前記セルのグループに与えられる干渉のレベルを示す信号を送信するよう構成される通信回路を有する装置。
【００９８】
（付記１９）
コンピュータで実行される場合に、該コンピュータに付記１乃至８及び１７のうちいずれか一項記載の方法を実行させるコンピュータプログラム。
【符号の説明】
【００９９】
１０，１２，１４  スペクトル
２０  ハンドオーバ領域
３０  移動体通信機
ＢＳ１〜３  基地局
ＭＡ１〜９  セル
ＭＡＮ１〜３  大都市地域ネットワーク
ＷＡ１〜３  セル
ＷＡＮ  ワイドエリアネットワーク
【図１】
0005262676.tif 000002
【図２】
0005262676.tif 000003
【図３】
0005262676.tif 000004
【図４】
0005262676.tif 000005
【図５】
0005262676.tif 000006
【図６】
0005262676.tif 000007
【図７】
0005262676.tif 000008
【図８】
0005262676.tif 000009